(57)【特許請求の範囲】
【請求項１】
複数の回路を有する扁平接続部材用のコネクタにおいて、
当該コネクタは、前記扁平接続部材の端末部と、該端末部に設けられる樹脂製のスライダとで構成され、
前記端末部は、電気的な接続を行うコネクタ接続部と、該コネクタ接続部に連続し且つこれよりも幅広に形成される保持嵌合部と、該保持嵌合部及び前記コネクタ接続部の幅差により生じる段付き部と、該段付き部の一部を含んで形成される、前記保持嵌合部の幅方向の両側部と、該両側部にそれぞれ開口形成される組み付け穴とを有し、
前記スライダは、前記端末部を貫通させる端末貫通部と、前記組み付け穴を嵌合させる係止突起とを有し、
前記端末貫通部は、該端末貫通部の出口側に配置されて前記保持嵌合部の幅方向の中間部を保持する中間保持部を有し、
前記係止突起は、前記中間保持部の両隣になる位置にそれぞれ配置され、且つ、前記端末貫通部から露出した前記コネクタ接続部及び前記両側部のうち該両側部を一旦撓ませて乗り越えさせる形状に形成される
ことを特徴とするコネクタ。
【請求項２】
請求項１に記載のコネクタにおいて、
前記係止突起は、テーパを有する形状に形成される
ことを特徴とするコネクタ。
【請求項３】
請求項１又は２に記載のコネクタにおいて、
前記係止突起は、前記端末貫通部の前記出口の開口高さよりも高く突出する形状に形成される
ことを特徴とするコネクタ。
【発明の詳細な説明】
【技術分野】
【０００１】
本発明は、複数の回路を有する扁平接続部材用のコネクタに関する。
【背景技術】
【０００２】
回路基板に対する外部からの電気的な接続をするために、回路基板には基板コネクタが設けられる。この基板コネクタは、扁平接続部材を接続することができる構成及び構造を有する。扁平接続部材は、フレキシブルプリント回路基板（ＦＰＣ）やフレキシブルフラットケーブル（ＦＦＣ）などの扁平形状の電気的な接続部材であって、単にフラットケーブルと呼ばれることもある。このような扁平接続部材の端末部にもコネクタが設けられる。
【０００３】
下記特許文献１には、扁平接続部材用のコネクタが開示される。このコネクタは、扁平接続部材の端末部と、端末部に組み付けられるスライダと、同じく端末部に組み付けられるカバーとを備えて構成される。コネクタは、先ずはじめに端末部をスライダの所定位置に載置固定し、この後に載置固定の部分を覆うようにカバーをスライダに嵌合させると組み付けが完了する。すなわち、２ステップで組み付けが完了する。
【先行技術文献】
【特許文献】
【０００４】
【特許文献１】特開２０１０−９９１５号公報
【発明の概要】
【発明が解決しようとする課題】
【０００５】
上記従来の扁平接続部材用のコネクタにあっては、扁平接続部材の端末部の他にスライダとカバーとを含んで構成されることから、部品点数を削減する余地があると考えられる。また、コネクタの組み付けにあっては、２ステップで組み付けが行われることから、組み付けに係るステップを削減する余地もあると考えられる。
【０００６】
本発明は、上記した事情に鑑みてなされたもので、部品点数を削減し且つ組み付け性を向上させることが可能なコネクタを提供することを課題とする。
【課題を解決するための手段】
【０００７】
上記課題を解決するためになされた請求項１に記載の本発明は、複数の回路を有する扁平接続部材用のコネクタにおいて、当該コネクタは、前記扁平接続部材の端末部と、該端末部に設けられる樹脂製のスライダとで構成され、前記端末部は、電気的な接続を行うコネクタ接続部と、該コネクタ接続部に連続し且つこれよりも幅広に形成される保持嵌合部と、該保持嵌合部及び前記コネクタ接続部の幅差により生じる段付き部と、該段付き部の一部を含んで形成される、前記保持嵌合部の幅方向の両側部と、該両側部にそれぞれ開口形成される組み付け穴とを有し、前記スライダは、前記端末部を貫通させる端末貫通部と、前記組み付け穴を嵌合させる係止突起とを有し、前記端末貫通部は、該端末貫通部の出口側に配置されて前記保持嵌合部の幅方向の中間部を保持する中間保持部を有し、前記係止突起は、前記中間保持部の両隣になる位置にそれぞれ配置され、且つ、前記端末貫通部から露出した前記コネクタ接続部及び前記両側部のうち該両側部を一旦撓ませて乗り越えさせる形状に形成されることを特徴とする。
【０００８】
このような特徴を有する本発明によれば、扁平接続部材の端末部と樹脂製のスライダの二つだけでコネクタが構成される。端末部とスライダとの組み付けは、端末部をスライダに貫通させる１ステップだけで行われ、貫通に伴って端末部とスライダとの嵌合も行われる。従って、脱落が生じることはない。
【０００９】
請求項２に記載の本発明は、請求項１に記載のコネクタにおいて、前記係止突起は、テーパを有する形状に形成されることを特徴とする。
【００１０】
このような特徴を有する本発明によれば、スライダの端末貫通部から露出した端末部の両側部が係止突起のテーパに接しながら撓み、そして、係止突起を乗り越える。テーパが形成されることで、撓みと乗り越えとがスムーズに行われる。
【００１１】
請求項３に記載の本発明は、請求項１又は２に記載のコネクタにおいて、前記係止突起は、前記端末貫通部の前記出口の開口高さよりも高く突出する形状に形成されることを特徴とする。
【００１２】
このような特徴を有する本発明によれば、単に扁平接続部材をスライダから引き抜こうとしても、スライダの係止突起から端末部の組み付け穴が外れることはない。具体的には、端末部の幅方向の中間部が端末貫通部の中間保持部に保持され、この状態では、単に扁平接続部材をスライダから引き抜こうとしても、端末貫通部の出口の開口高さよりも高く突出する係止突起から組み付け穴が外れることはない。
【発明の効果】
【００１３】
請求項１に記載された本発明によれば、部品点数を削減し且つ組み付け性を向上させることができるという効果を奏する。また、請求項２に記載された本発明によれば、組み付け性を更に向上させることができるという効果を奏する。また、請求項３に記載された本発明によれば、上記効果の他に、組み付け信頼性を向上させることができるという効果を奏する。
【図面の簡単な説明】
【００１４】
【図１】本発明のコネクタを示す斜視図である。
【図２】図１の扁平接続部材を示す斜視図である。
【図３】図１のスライダを示す斜視図である。
【図４】図３の係止突起及びこの周辺を示す拡大斜視図である。
【図５】コネクタの組み付けの状態を示す側面図である。
【発明を実施するための形態】
【００１５】
複数の回路を有する扁平接続部材用のコネクタは、扁平接続部材の端末部と、この端末部に設けられる樹脂製のスライダとを備えて構成され、端末部をスライダに貫通させると、この貫通の過程で端末部の組み付け穴がスライダの係止突起に嵌合して組み付けが完了する。
【実施例】
【００１６】
以下、図面を参照しながら実施例を説明する。図１は本発明のコネクタを示す斜視図である。また、図２は図１の扁平接続部材を示す斜視図、図３は図１のスライダを示す斜視図、図４は図３の係止突起及びこの周辺を示す拡大斜視図、図５はコネクタの組み付けの状態を示す側面図である。
【００１７】
図１において、本発明に係るコネクタ１は、複数の回路を有する扁平接続部材２の接続に用いられるコネクタであって、扁平接続部材２の端末部３と、この端末部３に設けられる樹脂製のスライダ４とを備えて構成される。コネクタ１は、図示しない回路基板に実装される基板コネクタに対し機械的に嵌合するとともに、この嵌合に伴って電気的な接続が行われるように形成される。
【００１８】
図１及び図２において、扁平接続部材２は、所謂フラットケーブルであって、具体的にはフレキシブルプリント回路基板（ＦＰＣ：Flexible Printed Circuit）やフレキシブルフラットケーブル（ＦＦＣ：Flexible Flat Cable）などの扁平形状の電気的な接続部材が該当する。扁平接続部材２は、所定の幅、回路数、長さ等の諸条件を具備して形成される。本実施例においては、フレキシブルプリント回路基板（ＦＰＣ）が採用される。
【００１９】
扁平接続部材２の端末部３には、図示しない基板コネクタとの電気的な接続を行うためのコネクタ接続部５が形成される。このコネクタ接続部５は、基板コネクタの接続部材収容部に収容される部分としても形成される。コネクタ接続部５は、端末部３の端部において、この幅方向全体にわたって形成される。コネクタ接続部５には、帯状の端子が複数露出する。コネクタ接続部５の幅方向の両側部には、ガイド部６がそれぞれ形成される。この一対のガイド部６は、スライダ４の後述する端末ガイド部２６にガイドされる部分として形成される。
【００２０】
端末部３には、コネクタ接続部５に連続する部分としての保持嵌合部７と、この保持嵌合部７に更に連続する部分としての収容部８とが形成される。端末部３は、この端部からコネクタ接続部５、保持嵌合部７、収容部８が順に並ぶように形成される。保持嵌合部７及び収容部８は、コネクタ接続部５よりも幅広に形成される。保持嵌合部７及び収容部８がコネクタ接続部５よりも幅広に形成されることから、保持嵌合部７とコネクタ接続部５との間には、これらの幅差によって生じる段付き部９が形成される。
【００２１】
保持嵌合部７は、この幅方向の中間部１０がスライダ４の後述する中間保持部２１に保持される部分として形成される。また、幅方向の両側部１１（側部１１、１１）がスライダ４の後述する係止突起１８に嵌合する部分として形成される。中間部１０は、表裏平坦な部分に形成される。
【００２２】
両側部１１は、段付き部９、９の一部を含むような部分に形成される。また、両側部１１は、引用符号１２で示す角部が持ち上がり易くなるような部分に形成される。このような両側部１１には、円形の組み付け穴１３が開口形成される。組み付け穴１３は、表裏を貫通するように形成される。尚、組み付け穴１３は、スライダ４の後述する係止突起１８の形状が例えば矩形になる場合は、この形状に合わせて形成されるものとする。
【００２３】
収容部８は、この幅方向全体にわたってスライダ４の後述する端末貫通部１７に収容される部分であって、表裏平坦な形状に形成される。
【００２４】
図１ないし図５において、スライダ４は、基部１４と、図示しない基板コネクタに挿入されて機械的に嵌合する部分と、嵌合に伴って扁平接続部材２の端末部３を基板コネクタの内部に案内する部分とを有して図示形状に形成される。具体的には、基部１４と、基板コネクタ挿入部１５と、基板コネクタ嵌合部１６とを有して図示形状に形成される。
【００２５】
基部１４には、端末貫通部１７と、一対の係止突起１８とが形成される。端末貫通部１７は、扁平接続部材２の端末部３を貫通させる部分として形成される。端末貫通部１７は、端末部３の平面形状及び断面形状に合わせた空間が生じるように形成される。尚、引用符号１９は端末貫通部１７の入口を示し、引用符号２０は出口を示す。
【００２６】
端末部３は、このコネクタ接続部５が挿入先端になって、端末貫通部１７の入口１９を介して内部に挿入される。そして、この後にコネクタ接続部５が出口２０から出ると、端末部３は貫通状態になる。
【００２７】
端末貫通部１７には、中間保持部２１が形成される。この中間保持部２１は、端末貫通部１７の出口２０側に配置される。中間保持部２１は、端末部３の保持嵌合部７の中間部１０を撓ませないように保持することができるように形成される。
【００２８】
ここで、端末貫通部１７における引用符号２２を端末載置面とすると、中間保持部２１は、端末載置面２２に対向する位置に配置される。中間保持部２１は、中間部１０の幅に合わせた長さに形成される。また、中間部１０に合わせた位置に配置される。従って、このような中間保持部２１の両側部には、段付き部２３がそれぞれ形成される。
【００２９】
一対の係止突起１８は、基部１４をこの上方から見たときに、一対の段付き部２３から臨む位置に配置形成される。一対の係止突起１８は、端末載置面２２から垂直に突出する円形のボス形状に形成される。また、一対の係止突起１８は、端末貫通部１７の出口２０に向く側面にテーパ２４を有する形状に形成される。さらに、一対の係止突起１８は、出口２０の開口高さよりも高く突出する形状に形成される。このような一対の係止突起１８は、端末部３の組み付け穴１３を嵌合させるための部分として形成される。
【００３０】
基板コネクタ挿入部１５は、図示しない基板コネクタに挿入される部分として形成される。基板コネクタ挿入部１５には、端末部３のコネクタ接続部５を載置する接続部載置面２５が形成される。また、基板コネクタ挿入部１５には、一対の端末ガイド部２６が形成される。この一対の端末ガイド部２６は、接続部載置面２５の両側部に配置されてコネクタ接続部５の一対のガイド部６をガイドする部分として形成される。
【００３１】
基板コネクタ嵌合部１６は、図示しない基板コネクタとの嵌合を行う部分として形成される。基板コネクタ嵌合部１６は、所謂ロック構造を有する部分である。
【００３２】
上記構成及び構造において、扁平接続部材２の端末部３とスライダ４とからなるコネクタ１の組み付けは、端末部３をスライダ４に貫通させるだけの１ステップで行われ、貫通に伴って端末部３とスライダ４との嵌合も行われるようになる。
【００３３】
具体的には、端末部３をコネクタ接続部５の側からスライダ４の端末貫通部１７の入口１９に挿入し、この後にコネクタ接続部５が出口２０から露出して接続部載置面２５に載置されると貫通状態になって組み付けが完了する。この時、端末貫通部１７の出口２０から露出した端末部３の両側部１１は、一対の係止突起１８に当接して一旦撓んだ後にテーパ２４を摺動し、係止突起１８を乗り越えるような状態になる。そして、係止突起１８に組み付け穴１３が落ち込むと、両側部１１は撓みのない元の状態に戻り、これによって嵌合が完了する。
【００３４】
尚、コネクタ１の状態で単に扁平接続部材２をスライダ４から引き抜こうとしても、スライダ４の係止突起１８から端末部３の組み付け穴１３が外れることはない。具体的には、端末部３の幅方向の中間部１０が端末貫通部１７の中間保持部２１に保持され、この状態では、単に扁平接続部材２をスライダ４から引き抜こうとしても、端末貫通部１７の出口２０の開口高さよりも高く突出する係止突起１８から組み付け穴１３が外れることはない。
【００３５】
以上、図１ないし図５を参照しながら説明してきたように、本発明によれば、部品点数を削減し且つ組み付け性を向上させることができるという効果を奏する。また、組み付け信頼性を向上させることができるという効果も奏する。
【００３６】
本発明は本発明の主旨を変えない範囲で種々変更実施可能なことは勿論である。
【符号の説明】
【００３７】
１…コネクタ
２…扁平接続部材
３…端末部
４…スライダ
５…コネクタ接続部
６…ガイド部
７…保持嵌合部
８…収容部
９…段付き部
１０…中間部
１１…側部
１２…角部
１３…組み付け穴
１４…基部
１５…基板コネクタ挿入部
１６…基板コネクタ嵌合部
１７…端末貫通部
１８…係止突起
１９…入口
２０…出口
２１…中間保持部
２２…端末載置面
２３…段付き部
２４…テーパ
２５…接続部載置面
２６…端末ガイド部
【図１】
0006371604.tif 000002
【図２】
0006371604.tif 000003
【図３】
0006371604.tif 000004
【図４】
0006371604.tif 000005
【図５】
0006371604.tif 000006